(57)【要約】【課題】健康診断に係る調査及び健康指導に於いて、健康診断若しくは健康指導を実施する検診担当者を支援するシステムを実現することを目的とする。【解決手段】健康診断支援システムの設計に於いて、回答必須項目及び選択項目から成る複数の調査項目夫々について設定された１または複数の設問に対する回答データを入力可能に構成され、選択項目については回答を行うか否かを選択可能に構成された回答入力画面を、受診者端末２０の表示部に表示させる調査用データ表示手段１１と、受診者端末２０より回答データを受信し、回答データと、対応する調査項目及び設問の少なくとも一方と、対応する受診者とを関連付けして記憶する記憶手段１２と、所定の受診者について、記憶手段１２に回答データが記憶されている場合に、当該回答データを、検診担当者端末３０の表示部に所定の形式で表示させる調査結果表示手段１３と、を有する。【選択図】    図１
2004290525.tif 000002
【特許請求の範囲】
【請求項１】
通信ネットワークを介して複数の端末とデータ通信可能に構成された健康診断支援システムであって、
回答必須項目及び選択項目から成る複数の調査項目夫々について設定された１または複数の設問に対する回答データを入力可能に構成され、且つ、前記選択項目については回答を行うか否かを選択可能に構成された回答入力画面を、前記健康診断の受診者の使用する受診者端末の表示部に表示させる調査用データ表示手段と、
前記受診者端末より前記回答データを受信し、前記回答データと、対応する前記調査項目及び前記設問の少なくとも一方と、対応する前記受診者とを関連付けして記憶する記憶手段と、
所定の前記受診者について、前記記憶手段に前記回答データが記憶されている場合に、当該回答データを、前記健康診断を実施する検診担当者の使用する検診担当者端末の表示部に所定の形式で表示させる調査結果表示手段と、を有することを特徴とする健康診断支援システム。
【請求項２】
前記調査用データ表示手段は、回答データ入力前、若しくは、回答すべき前記設問全てに対する前記回答データの入力完了時より所定の期間内に再入力を実施する場合に、前記選択項目全体について回答を実施するか否かを入力する選択画面を、前記受診者端末の表示部に表示可能に構成されていることを特徴とする請求項１に記載の健康診断支援システム。
【請求項３】
前記調査用データ表示手段は、前記回答データの入力実施後、且つ、前記回答データ未入力の回答すべき前記設問が存在する場合に、前記回答データの入力履歴より、前記回答データの入力を開始する前記設問を指定可能な設問指定画面を前記受診者端末の表示部に表示可能に構成され、
前記回答入力画面及び前記選択画面を含む表示画面は夫々、所定の表示順序に基づいて昇順及び降順に遷移可能に構成され、
前記設問指定画面は、前記表示画面が少なくとも昇順に遷移する際に表示可能に構成され、且つ、前記設問指定画面の表示順序が初期画面及び前記回答入力画面の間に設定されていることを特徴とする請求項２に記載の健康診断支援システム。
【請求項４】
前記調査用データ表示手段は、回答すべき前記設問全てに対する前記回答データの入力完了時より所定の期間内に、前記受診者端末より入力要求があった場合に、再入力を実施するか否かについての再入力確認画面を、前記受診者端末の表示部に表示させることを特徴とする請求項１から請求項３のいずれかに記載の健康診断支援システム。
【請求項５】
通信ネットワークを介して複数の端末とデータ通信可能に構成された健康診断支援システムであって、
健康指導に係る複数の調査項目夫々に対する関心度と、前記調査項目夫々について設定された１または複数の設問に対する回答データとを入力可能な入力画面を、健康診断の受診者の使用する受診者端末の表示部に表示させる調査用データ表示手段と、
前記受診者端末より前記回答データと前記関心度とを受信し、前記回答データと、前記関心度と、対応する前記調査項目と、対応する前記受診者とを関連付けして記憶する記憶手段と、
所定の前記受診者について、前記記憶手段に前記回答データと前記関心度とが記憶されている場合に、当該回答データと当該関心度とを、健康指導を実施する検診担当者の使用する検診担当者端末の表示部に所定の形式で表示させる調査結果表示手段と、を有することを特徴とする健康診断支援システム。
【請求項６】
前記調査用データ表示手段は、前記関心度を予め設定されている複数の入力候補の中から選択して入力可能な入力画面を前記受診者端末に表示可能に構成され、
前記調査項目夫々に対する前記関心度に基づいて、前記受診者に対する健康指導方法を抽出する指導方法抽出手段を有し、
前記調査結果表示手段は、前記回答データと前記関心度と共に前記健康指導方法を前記検診担当者端末の表示部に所定の形式で表示することを特徴とする請求項５に記載の健康診断支援システム。
【請求項７】
請求項１から請求項６のいずれか１項に記載の健康診断支援システムに含まれる各手段を、コンピュータ上で実現するためのプログラムから成る健康診断支援プログラム。
【発明の詳細な説明】
【０００１】
【発明の属する技術分野】
本発明は、健康診断に係る調査及び健康指導について、健康診断若しくは健康指導を実施する検診担当者を支援する健康診断支援システムに関する。
【０００２】
【従来の技術】
企業等の事業者は、労働安全衛生規則に従って労働者の雇用時や定期に健康診断を実施し、健康診断を実施した医師若しくは歯科医師の意見を参酌して、必要であれば受診者夫々に対して適切な処置を講じる必要がある。このため、定期健康診断に於いて各受診者に対し各種検査（身体検査、血圧測定、血液検査等）及び聞き取り調査（既往歴及び業務歴、自覚症状及び他覚症状の有無等）等を実施する。ここで、聞き取り調査に関して、従来は、各受診者に対して問診表を配布したり、聞き取り調査の実施のための機能を有する装置（例えば、通信ネットワーク上のサーバ）を利用する等していた。
【０００３】
健康指導についての支援を行う従来のシステムには、サービスセンタからの健康に関する質問に利用者が答えるＱ＆Ａを行う問答手段と、健康増進のためのアドバイスをサービスセンタから利用者に対して行うアドバイス手段と、問答手段とアドバイス手段とを平行して且つ問答手段とアドバイス手段とを関連付けながら繰り返し提供するサービス推進手段とを備えたものがある（例えば、特許文献１参照）。また、通信可能な携帯端末と当該携帯端末から受信した情報を記憶するホストコンピュータとを用いた診断システムであって、前記携帯端末は、被検者の生活情報を入力する入力手段と、入力した生活情報を通信する通信手段と、を備え、前記ホストコンピュータは、前記携帯端末から送られてきた生活情報を受け取る受信手段と、受信した生活情報を被検者毎に記憶する記憶手段と、受け取った生活情報に対し前記携帯端末に診断データを送信する送信手段と、を備えるものもある（例えば、特許文献２参照）。
【０００４】
また、問診表の解答欄には選択肢が表示されており、対象者は質問に対する回答をこの選択肢の中から選択し答える問診法を用いた栄養指導システムにおいて、対象者の回答データを入力する入力部と、回答データに対応する所定摂取栄養量を予め記憶する摂取栄養量記憶部と、回答データに基づく摂取栄養量を読出し、対象者の摂取栄養量を計算する摂取栄養量計算部と、対象者の身体的情報と計算した摂取栄養量とに基づき、栄養指導内容を判断する指導内容判断部と、得られた指導内容を告知する指導内容告知部とを有するシステムもある（例えば、特許文献３参照）。
【０００５】
尚、これらの健康指導に係る支援のためのシステムは、何れも回答対象者（利用者、被検者、対象者）全員に対し一律に同じ設問が設定され、回答対象者は全ての設問に対して回答を実施する。また、回答対象者に対して実施される調査は、健康状態や生活情報、栄養摂取情報（食事内容等）等であり、回答対象者が健康に高い関心をもっていることを前提としている。更に、特許文献１及び特許文献２に開示されているシステムについては、個人を対象として健康指導に係る支援を実施するものであり、健康診断を実施する検診担当者に対する支援を実施するものではない。
【０００６】
【特許文献１】
特開２００２−１２３６１２号公報（第２−３頁、第１図）
【特許文献２】
特開２００２−１１７１５０号公報（第１−３、８頁、第２図）
【特許文献３】
特開平９−１０１９４６号公報（第１−３、５頁、第２図）
【０００７】
【発明が解決しようとする課題】
定期健康診断の聞き取り調査では、一般的に、聞き取り調査の調査項目が受診者全員に対し一律に多岐に渡って設定されている。このため、従来の聞き取り調査に於いて収集される健康指導を実施するための情報は、必ずしも各受診者の属性や個性等に応じたものではなかった。また、様々な特性を有する受診者に対応して健康指導を実施するために、設定される設問の数が多くなり、受診者の回答作成にかかる時間及び手間を増大させていた。更に、コンピュータを用いて聞き取り調査を実施する場合、例えば、聞き取り調査の実施のための機能を有するサーバを設置し、通信ネットワークを介して通信可能に構成された端末より受診者が回答の入力を実施する場合等に於いては、多数の受診者が同時に回答を実施すると、アクセスの集中により通信ネットワークやサーバの応答速度が低下して、回答作成に要する時間が非常に長くなる。
【０００８】
本発明は上記の問題に鑑みてなされたものであり、その目的は、健康診断に於いて、聞き取り調査に於ける受診者の負荷を軽減すると共に、前記健康診断若しくは前記健康指導を実施する前記検診担当者を支援するシステムを構築する点にある。
【０００９】
【課題を解決するための手段】
この目的を達成するための本発明に係る健康診断支援システムの第一特徴構成は、特許請求の範囲の欄の請求項１に記載した如く、通信ネットワークを介して複数の端末とデータ通信可能に構成された健康診断支援システムであって、回答必須項目及び選択項目から成る複数の調査項目夫々について設定された１または複数の設問に対する回答データを入力可能に構成され、且つ、前記選択項目については回答を行うか否かを選択可能に構成された回答入力画面を、前記健康診断の受診者の使用する受診者端末の表示部に表示させる調査用データ表示手段と、前記受診者端末より前記回答データを受信し、前記回答データと、対応する前記調査項目及び前記設問の少なくとも一方と、対応する前記受診者とを関連付けして記憶する記憶手段と、所定の前記受診者について、前記記憶手段に前記回答データが記憶されている場合に、当該回答データを、前記健康診断を実施する検診担当者の使用する検診担当者端末の表示部に所定の形式で表示させる調査結果表示手段と、を有する点にある。
【００１０】
即ち、本発明に係る健康診断支援システムの上記第一特徴構成によれば、調査項目に回答必須項目と選択項目とを設定することにより、健康指導のための情報を、回答を行う受診者の特性に合わせて収集し、健康診断を実施する検診担当者（企業等の健康相談員或いは医師や歯科医師等）に提供する事ができる。
【００１１】
受診者全員に対しより適切に健康診断及び健康指導を実施するために、受診者夫々の特性に合わせて、受診者の健康に関する様々な情報を幅広く適切に収集する必要がある。このため、問診表等の作成の際には、各受診者のプライバシーの問題等を考慮して適切な調査項目及び設問を設定することが望ましい。従来の聞き取り調査では、受診者夫々が、受診者全員に対し一律に設定された調査項目の全てについて回答を実施する構成であったため、設定される設問の数が多くなったり、受診者によっては回答し難い設問が含まれる等して、回答の作成に相当の時間及び手間を増大させていた。ここで、調査項目として考えられる項目の中には、大部分の受診者に対する健康指導にとって有益な情報を収集することができる項目であっても、一部の受診者にとっては各受診者のプライバシーの問題等により解答し辛い調査項目も存在し、このような設問を選択的に回答する構成にすることにより、各受診者の特性に合わせて健康診断に係る情報を収集することができる。このため、調査項目に回答必須項目と選択項目とを設定することにより、各受診者の回答の作成にかかる時間及び手間を省力化することができる。
【００１２】
また、通信ネットワークを介してデータ通信が行われることから、大企業等、受診者の数が多い場合には、通信ネットワークのトラフィック量の増加によりサーバからの応答速度が極度に低下する場合も考えられ、問診表の回答作成に相当の時間がかかることも有り得る。このため、調査項目に選択項目を設定し、受診者夫々が不要な質問を省略することにより、通信ネットワークにかかる負荷を低減することができる。
【００１３】
従って、調査用データ表示手段を用いて、回答必須項目及び選択項目から成る調査項目夫々について、受診者が回答を実施する調査項目を選択可能に構成された入力画面を表示することにより、受診者夫々の特性に応じた情報の収集、及び、回答作成にかかる時間及び手間の省力化が可能になる。更に、調査結果表示手段を用いて、健康診断を実施する検診担当者に対して受診者夫々についての回答データを提供することにより、検診担当者に対する支援を実施するシステムを構築することができる。
【００１４】
尚、労働安全衛生規則第四十四条には、定期健康診断について定められており、その内容は、「事業者は、常時使用する労働者（第四十五条第一項に規定する労働者を除く。）に対し、一年以内ごとに一回、定期に、次の項目について医師による健康診断を行わなければならない。一  既往歴及び業務歴の調査、二  自覚症状及び他覚症状の有無の検査、三  身長、体重、視力及び聴力の検査、四  胸部エックス線検査及び喀痰検査、五  血圧の測定、六  貧血検査、七  肝機能検査、八  血中脂質検査、九  血糖検査、十  尿検査、十一  心電図検査」である。これらの項目については、事業者は必ず実施する必要があることから、労働安全衛生規則に係る調査項目を回答必須項目とすることが望ましい。上記労働安全衛生規則に定められている調査項目を回答必須項目とすることにより、健康診断を実施する事業者は、より適切に健康診断を実施することが出来る。
【００１５】
同第二特徴構成は、特許請求の範囲の欄の請求項２に記載した如く、上記第一特徴構成に加えて、前記調査用データ表示手段は、回答データ入力前、若しくは、回答すべき前記設問全てに対する前記回答データの入力完了時より所定の期間内に再入力を実施する場合に、前記選択項目全体について回答を実施するか否かを入力する選択画面を、前記受診者端末の表示部に表示可能に構成されている点にある。
【００１６】
即ち、同第二特徴構成によれば、回答必須項目についてのみ回答データを入力するか、全ての調査項目（回答必須項目及び選択項目）について回答データを入力するかを選択するための選択画面を、回答データが入力される前（回答データが記憶される前）、若しくは、再入力実施の際にのみ表示する。
【００１７】
選択項目についての回答の実施の諾否を、所定の調査項目の回答データの入力途中で変更可能な場合、回答データ入力が途中までしか実施されていない選択項目が存在することも有り得る。受診者の健康に関するデータを把握し易くするために、検診担当者が受診者夫々の回答データを参照する際には、途中回答の調査項目については、回答データを検診担当者に提示しない構成であることが望ましい。このため、選択項目についての回答の実施の諾否を、回答データの入力途中で変更できない構成であることが望ましい。尚、回答データの提示の是非についての判定を本発明システムを実現するコンピュータ上で実施することにより検診担当者の把握し易い回答データの提示を実現できるが、本発明システムは、企業等の事業者、つまり相当数の受診者を対象とすることが考えられ、負荷を出来る限り軽減できる構成であることが望ましいことから、選択項目についての回答の諾否を、回答データの入力途中で変更できない構成であることが望ましいと言える。
【００１８】
また、受診者夫々の健康状態は常に変化すると考えられ、入力時より所定の期間、例えば３ヶ月を経過した回答データは、情報が古く、受診者の健康状態に則していない場合もあると考えられる。このため、前回の回答データの入力時より所定の期間を経過している場合には、より的確に受診者の健康状態を把握するために、当該健康診断の聞き取り調査の回答を最初から（回答を実施する調査項目の選択から）実施する構成であることが望ましい。
【００１９】
従って、選択項目についての回答の実施の諾否の設定を、回答データの入力前、及び、回答すべき前記設問全てに対する回答データの入力完了後に限って実施可能に構成することにより、検診担当者にとって受診者夫々の健康に関するデータを把握し易いデータを検診担当者に提供することができる。
【００２０】
同第三特徴構成は、特許請求の範囲の欄の請求項３に記載した如く、上記第二特徴構成に加えて、前記調査用データ表示手段は、前記回答データの入力実施後、且つ、前記回答データ未入力の回答すべき前記設問が存在する場合に、前記回答データの入力履歴より、前記回答データの入力を開始する前記設問を指定可能な設問指定画面を前記受診者端末の表示部に表示可能に構成され、前記回答入力画面及び前記選択画面を含む表示画面は夫々、所定の表示順序に基づいて昇順及び降順に遷移可能に構成され、前記設問指定画面は、前記表示画面が少なくとも昇順に遷移する際に表示可能に構成され、且つ、その表示順序が初期画面及び前記回答入力画面の間に設定されている点にある。
【００２１】
即ち、同第三特徴構成によれば、回答データの入力を入力完了前に一度中断して、次回再開する時に、回答データの入力履歴より回答データの入力を開始する設問を指定することができる。
【００２２】
回答データの入力の際には、本発明システムを構成するコンピュータと受診者端末との間で、回答入力画面等の表示画面や回答データ等の送受信を設問毎に実施することから、設問の数が増加するに伴って、時間がかかる。受診者が設問全てに対する回答データの入力を一度に入力可能とは限らないため、任意に且つ簡易に、中断・再開可能に構成されていることが望ましい。尚、回答データの入力を中断し、所定の期間を於いて再開する場合に、受診者の健康状態が変化している場合も考えられることから、回答データの入力再開時には、受診者の健康状態に合わせて簡易に修正可能に構成されていることが望ましいと言える。
【００２３】
従って、回答データの入力再開時に、既に回答データを入力済みの任意の調査項目若しくは設問から回答データの入力を実施可能に構成する（既に入力済みの設問の次の設問より入力を開始する構成、最初から回答データの入力をやり直す構成、等を含む）ことにより、受診者の本発明システムの利便性を高めることができる。
【００２４】
同第四特徴構成は、特許請求の範囲の欄の請求項４に記載した如く、上記第一特徴構成から上記第三特徴構成に加えて、前記調査用データ表示手段は、回答すべき前記設問全てに対する前記回答データの入力完了時より所定の期間内に、前記受診者端末より入力要求があった場合に、再入力を実施するか否かについての再入力確認画面を、前記受診者端末の表示部に表示させる点にある。
【００２５】
即ち、同第四特徴構成によれば、所定の健康診断に於ける調査項目に対する回答データの入力を実施する際、回答する調査項目の変更が無い場合には、受診者に対し再入力の諾否について確認を行う。尚、再入力の諾否についての再入力確認画面は、選択項目全体について回答を実施するか否かを入力する選択画面の表示前等に表示する。回答データの入力完了後、入力内容について変更・修正を実施したい場合に、受診者端末より本発明システムにアクセスして入力要求を行うが、受診者が誤って入力要求を行う場合も考えられる。従って、回答データの入力が完了している場合には、再入力の諾否を確認する構成にすることにより、受診者が誤って入力要求を行った場合でも、適切な処理を実施することができる。
【００２６】
同第五特徴構成は、特許請求の範囲の欄の請求項５に記載した如く、通信ネットワークを介して複数の端末とデータ通信可能に構成された健康診断支援システムであって、健康指導に係る複数の調査項目夫々に対する関心度と、前記調査項目夫々について設定された１または複数の設問に対する回答データとを入力可能な入力画面を、健康診断の受診者の使用する受診者端末の表示部に表示させる調査用データ表示手段と、前記受診者端末より前記回答データと前記関心度とを受信し、前記回答データと、前記関心度と、対応する前記調査項目と、対応する前記受診者とを関連付けして記憶する記憶手段と、所定の前記受診者について、前記記憶手段に前記回答データと前記関心度とが記憶されている場合に、当該回答データと当該関心度とを、健康指導を実施する検診担当者の使用する検診担当者端末の表示部に所定の形式で表示させる調査結果表示手段と、を有する点にある。
【００２７】
即ち、同第五特徴構成によれば、受診者夫々の、健康指導に係る項目、例えば、体重、飲酒、煙草（禁煙）等に対する関心度を、健康指導を実施する検診担当者に簡易に提供する事ができる。健康診断を実施する検診担当者は、各受診者に対し健康指導を実施するが、一般的に、受診者の健康（体重、飲酒、禁煙等）に対する関心がより高い程、健康指導の実施の成果がより期待できると言える。また、一般的に、健康指導を実施する項目は複数あることから、受診者のより関心度の高い項目を優先的に健康指導の対象とすることにより、健康指導の効果がより期待できる。
【００２８】
従って、健康診断を実施する検診担当者は、より効果的に健康指導を実施するための情報を簡易に且つ容易に取得することが可能になり、本発明に係る健康診断システムの価値を高めることができる。
【００２９】
同第六特徴構成は、特許請求の範囲の欄の請求項６に記載した如く、前記調査用データ表示手段は、前記関心度を予め設定されている複数の入力候補の中から選択して入力可能な入力画面を前記受診者端末に表示可能に構成され、前記調査項目夫々に対する前記関心度に基づいて、前記受診者に対する健康指導方法を抽出する指導方法抽出手段を有し、前記調査結果表示手段は、前記回答データと前記関心度と共に前記健康指導方法を前記検診担当者端末の表示部に所定の形式で表示する点にある。
【００３０】
即ち、同第六特徴構成によれば、指導方法提案手段を備える構成にすることにより、健康増進のための指導方法を検診担当者に対し提案する事ができる。従来、健康に対する指導方法は、健康指導を行う検診担当者が独自に検討・判断して実施していた。ここで、健康状態及び健康指導の所定の項目に対する関心度が同じ受診者に対する健康指導方法、例えば、喫煙に対し、喫煙状況（喫煙本数等）及び関心度が同じ受診者に対する禁煙指導には、差異が無いと考えられる。このため、所定の条件（健康状態及び関心度）に対する健康指導方法を予め設定しておき、受診者夫々の健康診断結果及び関心度に合わせて適用可能な健康指導方法を検索し、検索された健康指導方法を検診担当者に対して提供する構成にすることにより、健康指導を行う検診担当者は、受診者夫々に対して適切な健康指導を実施することができる。尚、健康指導を実施する検診担当者が、各受診者の健康診断の結果及び問診表の結果に基づいて個別に指導方法の検討・判断を実施した場合には、検診担当者の間でその指導方法に差異が生じる可能性もある。従って、指導方法提案手段を設ける構成にすることにより、検診担当者による指導方法のばらつきを抑えることができる。
【００３１】
この目的を達成するための本発明に係る健康診断支援プログラムの第一特徴構成は、特許請求の範囲の欄の請求項７に記載した如く、健康診断支援システムの第一特徴構成から第六特徴構成のいずれか一つに記載の健康診断支援システムに含まれる各手段を、コンピュータ上で実現するためのプログラムから成る点にある。
【００３２】
即ち、本発明に係る健康診断支援プログラムの上記第一特徴構成によれば、コンピュータ（サーバ等）上で実行されることにより、上記健康診断支援システムの各手段に係る機能を実現することができ、上記した各特徴構成の作用・効果を奏する事ができる。尚、本発明プログラムは、ＣＤ−ＲＯＭ（Ｃｏｍｐａｃｔ  Ｄｉｓｋ  Ｒｅａｄ  Ｏｎｌｙ  Ｍｅｍｏｒｙ）等のコンピュータ読み取り可能な記録媒体やインターネット等のデータ伝送媒体を介し、前記健康診断支援システムを構成するコンピュータがアクセス可能な記憶装置内にインストールして実行することができる。
【００３３】
【発明の実施の形態】
本発明に係る健康診断支援システム（以下、適宜「本発明システム」と略称する）の実施の形態について、図面に基づいて説明する。
【００３４】
図１は本発明システム１０に於ける第一実施形態を示している。具体的には、本発明装置１０を構成するコンピュータシステム上で、本発明システム１０に係る各手段を実行するプログラムによりソフトウェア的に実現される。
【００３５】
本発明システム１０は、コンピュータセンタに設置された複数のデータベース（以下、ＤＢと略称）を有するＤＢサーバ５０とデータ通信可能に構成され、且つ、通信ネットワーク４０、４１を介して、各事業所若しくは健康管理センタに設置された受診者端末２０と、健康管理センタに設置された検診担当者端末３０とデータ通信可能に構成されている。ここで、ＤＢサーバ５０には、受診者夫々の属性（年齢、性別等）を記憶した受診者情報ＤＢ５１、健康診断毎の受診対象者を管理する受診予定者ＤＢ５２、健康診断の日程を管理する検診日程ＤＢ５３、健康診断毎、診断項目毎に最大受診者数を管理する受診者数管理ＤＢ５４、調査項目及び夫々に対応する設問を記憶する問診ＤＢ５５、受診者毎に回答データを記憶する問診履歴ＤＢ５６、受診者夫々のＩＤ及びパスワードを記憶したセキュリティＤＢ５７が備えられている。
【００３６】
本実施形態に於ける受診者端末２０及び検診担当者端末３０は、通常のパーソナルコンピュータであり、本体と表示画面とキーボードやマウス等の入力装置とを備えて構成される。更に、受診者端末２０は、通信ネットワーク４１上の各種ＷＥＢサイトにアクセス可能なように、一般的に普及しているブラウザソフトウェア（Ｍｉｃｒｏｓｏｆｔ社製Ｉｎｔｅｒｎｅｔ  Ｅｘｐｌｏｒｅｒ、ＡＯＬ  Ｔｉｍｅ  Ｗａｒｎｅｒ社製Ｎｅｔｓｃａｐｅ  Ｎａｖｉｇａｔｏｒ等）がインストールされ、ＨＴＭＬ（ＨｙｐｅｒＴｅｘｔＭａｒｋｕｐＬａｎｇｕａｇｅ）形式やＸＭＬ（ｅＸｔｅｎｓｉｂｌｅＭａｒｋｕｐＬａｎｇｕａｇｅ）形式等のウェブページ記述用言語で記載されたデータの送受信を行い、各種ＷＥＢサイトの表示画面を受診者端末２０の表示画面上に表示可能に構成されている。通信ネットワーク４０、４１は、インターネットやイントラネット、ＬＡＮ等、公知の有線あるいは無線のデータ通信手段により実現される。
【００３７】
次に、本発明システム１０の第一実施構成について図１を基に説明する。本発明システム１０は、図１に示すように、調査用データ表示手段１１、記憶手段１２、調査結果表示手段１３を備えて構成される。
【００３８】
調査用データ表示手段１１は、回答必須項目及び選択項目から成る複数の調査項目夫々について設定された１または複数の設問に対する回答データを入力可能に構成され、且つ、選択項目については回答を行うか否かを選択可能に構成された回答入力画面を、健康診断の受診者の使用する受診者端末２０の表示部に表示させる。ここで、本実施構成で用いられる調査項目の回答必須項目は法定項目（定期健康診断についての労働安全衛生規則第四十四条に定められている項目等）である。選択項目は、健康指導を実施する検診担当者が健康指導を実施する上で受診者の健康状態をより把握するための項目であり、回答を行うか否かを選択可能に構成されている。尚、本実施例では、回答の諾否は選択項目全体についてのみ選択可能に構成されているが、選択項目毎に回答の諾否を選択可能に構成されていてもよく、この場合には、回答するか否かについて、項目一覧の中から回答を実施する項目を選択する構成であってもよいし、回答データの入力画面に設問を省略するためのボタンを設ける構成であってもよい。
【００３９】
図２は、選択項目について回答を行うか否かを選択するための設問選択画面の一例である。ここでは、「必須項目のみ回答する」、「全て回答する」のいずれかを選択するように構成されている。
【００４０】
図３は回答入力画面の一例であり、調査項目（回答必須項目）「既往歴・現病歴」について示している。「既往歴・現病歴」は“高脂血症”、“高血圧”、“胃・十二指腸潰瘍”等、２０の選択肢より選択可能（複数回答可）に構成され、該当する選択肢のボタンを選択すると、ボタンの表示色が反転し、他と区別容易に構成されている。図４は、図３の「既往歴・現病歴」で選択された選択肢夫々に対する詳細調査用の回答入力画面の一例であり、罹患時期および治療状況に対する設問を示している。尚、「既往歴・現病歴」について  “該当なし”が選択されている場合には、当該調査項目に対する罹患時期についての設問の提示は不要であると判定し、受診者に対し図４に示す回答入力画面を提示しない。また、一時終了ボタンが設けられ、回答入力を中断・再開可能に構成されている。更に、回答入力画面には、回答の進捗状況、ここでは、全ての設問に対する回答済み項目の割合（％）について表示される。
【００４１】
記憶手段１２は、受診者端末２０より回答データを受信し、回答データと、対応する調査項目及び設問の少なくとも一方と、対応する受診者とを関連付けして記憶する。ここで、記憶手段１２は、問診履歴ＤＢ５６に回答データを記憶する。尚、記憶手段１２で用いられる記憶装置は、本発明システム１０を構成するコンピュータの記憶装置や、受診者端末２０とデータ通信可能な任意の場所に設けられている記憶装置であってもよいし、複数の記憶装置に分散してデータを記憶する構成であってもよい。
【００４２】
調査結果表示手段１３は、所定の受診者について、記憶手段１２に回答データが記憶されている場合に、当該回答データを、健康診断を実施する検診担当者の使用する検診担当者端末３０の表示部に所定の形式で表示させる。具体的には、受診者毎に、調査項目の項目名と設問内容、設問夫々に対する回答データが表示される。尚、本実施例では、更に、年齢や性別等の受診者の属性情報についても検診担当者端末３０の表示画面上に表示する。ここで、記憶手段１２に当該受診者についての回答データが記憶されていない場合には、その旨を表示する。
【００４３】
次に、本実施構成の表示画面の遷移を、図５、図７、図１０に基づいて、所定の健康診断に於いて本発明システム１０を初めて利用する場合、所定の期間内に再入力を実施する場合、所定の期間を過ぎて再入力を実施する場合について説明する。
【００４４】
図５は、本発明システム１０を所定の健康診断に於いて初めて利用する場合の表示画面の遷移を表す状態遷移図である。尚、図５中のｘは、回答データの入力が実施されたか否かを確認するための変数であり、ｘ＝０は回答データ未入力、ｘ＝１は回答データ入力有の状態を示す。所定の健康診断に於いて本発明システム１０を初めて利用する場合には、ｘは０に初期化される。また、図５中の回答入力画面に付した数字ｉ（ｉ＝１〜Ｎ、状態＃５０３、＃５０４、＃５０６）は回答すべき調査項目番号を表している。
【００４５】
受診者端末２０より本発明システム１０にアクセスすると、本発明システム１０は受診者の認証を行う（状態＃５００）。具体的には、受診者端末２０より受診者のＩＤ及びパスワードを取得するための入力画面を受診者端末２０の表示画面上に表示させる。ＩＤ及びパスワードが入力されると、セキュリティＤＢ５７に照会して、記憶されている受診者毎のＩＤ及びパスワードの中から一致するデータを検索する。一致するデータが存在する場合には受診者を特定し、認証情報について受診者に確認するための確認画面を受診者端末２０の表示画面上に表示する（状態＃５０１）。
【００４６】
ここで、図６は確認画面の一例であり、受診者の氏名、コード、受診予定日、検診項目、検診場所等について示している。尚、表示する情報は、実施される健康診断の内容等に合わせて適宜適切な情報を表示することが望ましい。続いて、調査用データ表示手段１１は、表示画面上の“ＯＫ”ボタンが入力されると状態＃５０２に遷移して設問選択画面を表示し、“もどる”が選択された場合には状態＃５００に遷移して認証画面を表示する。
【００４７】
状態＃５０１に於いて受診者の認証情報が確認され、且つ、回答データが存在しない場合（回答データ入力前）には、調査用データ表示手段１１は、選択項目全体について回答を実施するか否かを入力する設問選択画面を受診者端末２０の表示画面上に表示する（状態＃５０２）。ここで、設問選択画面は、図２に示すように、回答必須項目のみ回答データの入力を実施するか、全ての調査項目（回答必須項目及び選択項目）について回答データの入力を実施するかについての選択を行う。調査用データ表示手段１１は、回答する調査項目を指定した後、表示画面上の“ＯＫ”が選択されると状態＃５０３に遷移して回答入力画面１を表示し、“もどる”ボタンが選択されると状態＃５０１に遷移して確認画面を表示する。
【００４８】
状態＃５０２に於いて回答を実施する調査項目が指定されると、調査用データ表示手段１１は、１つ目の調査項目について回答データを入力するための回答入力画面１を受診者端末２０の表示画面上に表示する（状態＃５０３）。回答データが入力され“ＯＫ”が選択されると、記憶手段１２は問診履歴ＤＢ５６に回答データを記憶し、調査用データ表示手段１１は、ｘに１を設定し、状態＃５０４に遷移して回答入力画面２を表示する。“もどる”が選択された場合には、ｘ＝０（回答データ未入力）なら状態＃５０２に、ｘ＝１（回答データ入力有）なら状態＃５０５に遷移する。
【００４９】
状態＃５０３に於いて回答データが入力され“ＯＫ”が選択されると、記憶手段１２は回答データを記憶し、調査用データ表示手段１１は、次の調査項目について回答データを入力するための回答入力画面２を受診者端末２０の表示画面上に表示する（状態＃５０４）。ここで、“もどる”が選択されると状態＃５０３に遷移して回答入力画面１を表示し、“ＯＫ”が選択されると回答入力画面３を表示する。尚、調査項目番号ｉ＝２以降の回答入力画面についても、同様の手順（もどる”が選択されると１つ前の調査項目番号の調査項目についての回答入力画面を表示し、“ＯＫ”が選択されると次の調査項目についての回答入力画面を表示する）によって調査項目番号ｉ＝Ｎまで順次遷移する（状態＃５０６）。
【００５０】
状態＃５０３に於いて“もどる”が選択され、且つ、ｘ＝１の場合（回答データの入力が実施されて状態＃５０４に遷移し、その後、再び状態＃５０３に遷移し、更に“もどる”が選択された場合）、及び、状態＃５０１に於いて“ＯＫ”が選択され、且つ、ｘ＝１の場合には、調査用データ表示手段１１は、回答データの入力を行う設問を選択するための設問指定画面を受診者端末２０の表示画面上に表示する（状態＃５０５）。設問指定画面に於いて所定の設問を選択し、“ＯＫ”を選択すると、再び状態＃５０３に遷移する。尚、状態＃５０５に於いて更に“もどる”が選択された場合には、状態＃５０１に遷移して確認画面が表示される。
【００５１】
状態＃５０６に於いて回答データが入力され、回答データ入力画面Ｎが受診者端末２０の表示画面上に表示されている場合に、“ＯＫ”ボタンが選択されると、調査用データ表示手段１１は、終了画面を受診者端末２０の表示画面上に表示する（状態＃５０７）。
【００５２】
尚、受診者が受診者端末２０を用い、所定の期間内に、同じ健康診断に対する回答データの入力について再度本発明システム１０にアクセスした場合には、本発明システム１０は、図７に示す状態遷移図に従って状態＃７００より処理を行う。但し、再アクセスが所定の期間内に行われなかった場合には、調査用データ表示手段１１は、ｘ及び後述するｙの値を初期化し、回答入力画面に前回の回答データの内容を表示する。
【００５３】
調査用データ表示手段１１は、調査項目番号ｉ＝２以降の回答入力画面が受診者端末２０の表示画面上に表示されている場合（状態＃５０４、＃５０６）に、“一時終了”ボタンが選択されると、終了画面を受診者端末２０の表示画面上に表示する（状態＃５０８）。尚、利用者が利用者端末２０を用い、同じ健康診断に対する回答データの入力について再度本発明システム１０にアクセスした場合には、本発明システム１０は、状態＃５００に遷移し、確認画面を受診者端末２０の表示画面上に表示する。但し、再アクセスが所定の期間内に行われなかった場合には、調査用データ表示手段１１は、ｘの値を初期化し、図１０に示す状態遷移図に従って処理を行う。
【００５４】
図７は、所定の健康診断に対する調査項目夫々についての回答データの入力が完了した後（図５に於いて状態＃５０７に遷移した後）、所定の期間内（本実施例では３ヶ月）に、再度本発明システム１０に対し同じ健康診断について入力要求があった場合の表示画面の遷移を表している。尚、図７中のｙは、選択項目の回答の実施の諾否、回答データ入力の実施の有無を確認するための変数であり、ｙ＝０は回答する調査項目の変更がない状態を示し、ｙ＝１は回答必須項目のみ回答を実施する設定から選択項目についても回答を実施する設定に変更された状態を示し、ｙ＝２はｙ＝１に於いて回答データの入力が実施された状態を示す。また、図７中の回答入力画面に付した数字ｉ（ｉ＝１〜Ｎ、状態＃７０４、＃７０５、＃７０７）は、図５と同様に、回答すべき調査項目番号を表している。
【００５５】
受診者端末２０より本発明システム１０にアクセスすると、本発明システム１０は受診者の認証を行い（状態＃７００）、認証情報について受診者に確認するための確認画面を受診者端末２０の表示画面上に表示する（状態＃７０１）。表示画面上の“ＯＫ”ボタンが入力されると、ｙ＝０の場合（回答する調査項目の区分変更なし）には状態＃７０２に、ｙ＝１の場合（回答必須項目のみから全調査項目に変更）には＃７０４に、ｙ＝２の場合（ｙ＝１の条件に加えて、回答データの入力有）には＃７０６に遷移し、“もどる”が選択された場合には状態＃７００に遷移して認証画面が表示される。
【００５６】
状態＃７０１に於いて受診者の認証情報が確認され、且つ、ｙ＝０の場合（後述する状態＃７０３に於いて、回答する調査項目の変更が実施され、回答必須項目のみ回答する設定より全調査項目について回答する設定に変更された場合を除いた状態）には、調査用データ表示手段１１は、回答データの上書き確認を行うための再入力確認画面を受診者端末２０の表示画面上に表示する（状態＃７０２）。ここで、図８は再入力画面の一例であり、回答データの入力を実施しようとする健康診断に於いて、過去（本実施例では３ヶ月以内）に回答データの入力が完了していることを示すメッセージと共に、前回入力完了時の日付が表示されている。尚、再入力確認画面には適宜提示する情報を追加してもよい。調査用データ表示手段１１は、表示画面上の“はい”が選択されると状態＃７０３に遷移して設問選択画面を表示し、“いいえ”が選択されると状態＃７０９に遷移して終了画面を表示する。尚、“いいえ”が選択されたときに、受診者端末２０に於いて本発明システム１０を利用する際に最初に表示される初期画面（健康管理メニュー）を表示するように構成してもよい。
【００５７】
状態＃７０２に於いて回答データの上書きが承諾されると、調査用データ表示手段１１は、設問選択画面を受診者端末２０の表示画面上に表示する（状態＃７０３）。調査用データ表示手段１１は、“ＯＫ”が選択されると状態＃７０４に遷移して回答入力画面１を表示する。更に、回答する調査項目が、回答必須項目のみから全ての調査項目に変更された場合には、ｙに１を設定する。“もどる”が選択されると状態＃７０１に遷移して確認画面を表示する。
【００５８】
状態＃７０３に於いて回答する調査項目が指定されると、調査用データ表示手段１１は、回答入力画面１を受診者端末２０の表示画面上に表示する（状態＃７０４）。回答データが入力され“ＯＫ”が選択されると、記憶手段１２は回答データを記憶し、調査用データ表示手段１１は、ｙ＝１（回答項目変更有）ならｙに２を設定し、状態＃７０５に遷移して回答入力画面２を表示する。また、“もどる”が選択されると、ｙ＝０なら状態＃７０３に、ｙ＝１なら状態＃７０１に、ｙ＝２なら状態＃７０６に遷移する。
【００５９】
状態＃７０４に於いて回答データが入力され、“ＯＫ”が選択されると、調査用データ表示手段１１は、次の調査項目について回答データを入力するための回答入力画面２を受診者端末２０の表示画面上に表示する（状態＃７０５）。ここで、“もどる”が選択されると状態＃７０４に遷移して回答入力画面１を表示し、“ＯＫ”が選択されると回答入力画面３を表示する。尚、調査項目番号ｉ＝２以降の回答入力画面についても、同様の手順（もどる”が選択されると１つ前の調査項目番号の調査項目についての回答入力画面を表示し、“ＯＫ”が選択されると次の調査項目についての回答入力画面を表示する）によって調査項目番号ｉ＝Ｎまで順次遷移する（状態＃７０７）。
【００６０】
状態＃７０４に於いて、“もどる”が選択され、且つ、ｙ＝２の場合（状態＃７０３に於いて、回答する項目が回答必須項目のみから全調査項目に変更され、且つ、状態＃７０４に於いて“ＯＫ”が選択され記憶手段１２により回答データが記憶された状態）、調査用データ表示手段１１は、回答を実施する設問（若しくは調査項目）を指定する設問指定画面を表示する（状態＃７０６）。
【００６１】
ここで、図９は設問指定画面の一例であり、前回の回答データの入力時に“既往歴・現病歴”まで入力が完了している場合について示している。本実施例に於ける設問指定画面は、“最初から”、“既往歴・現病歴”、“入力しない”のいずれかを選択するように構成されている。調査用データ表示手段１１は、“最初から”が選択されると状態＃７０４に遷移し、回答データ入力を開始する調査項目が指定されると（本実施例では“既往歴・現病歴”のみ指定可能）指定された設問についての回答入力画面を表示し、“入力しない”が選択された場合には回答データ入力を中止する。“もどる”が選択されると状態＃７０１に遷移して確認画面を表示する。尚、回答データ入力を開始する調査項目は、回答データが既に入力されている調査項目の中から任意に指定可能に構成してもよい。
【００６２】
調査用データ表示手段１１は、状態＃７０７に於いて回答データが入力され“ＯＫ”が選択されると、終了画面を受診者端末２０の表示画面上に表示する（状態＃７０８）。尚、受診者が受診者端末２０を用い、所定の期間内に、同じ健康診断に対する回答データの入力について再度本発明システム１０にアクセスした場合には、本発明システム１０は、状態＃７００より処理を行う。
【００６３】
調査用データ表示手段１１は、調査項目番号ｉ＝２以降の回答入力画面が受診者端末２０の表示画面上に表示されている場合（状態＃７０６、＃７０７）に、“一時終了”ボタンが選択されると、終了画面を受診者端末２０の表示画面上に表示する（状態＃７０９）。尚、同じ健康診断について再度入力要求があった場合には、調査用データ表示手段１１は、状態＃７００に遷移し確認画面を表示する。また、再アクセスが所定の期間に行われなかった場合には、調査用データ表示手段１１は、ｙの値を初期化し、図１０に示す状態遷移図に従って処理を行う。
【００６４】
図１０は、所定の健康診断に対する調査項目夫々について回答データが入力された後、所定の期間（本実施例では３ヶ月）過ぎて再度本発明システム１０に対し同じ健康診断について入力要求があった場合の表示画面の遷移を表している。具体的には、図５に於ける状態＃５０２の設問選択画面表示後、状態＃５０５の設問指定画面表示前に前回データ参照画面を表示する。図５と同様、ｘは、回答データの入力が実施されたか否かを確認するための変数、回答入力画面に付した数字ｉ（ｉ＝１〜Ｎ、状態＃５０３、＃５０４、＃５０６）は回答すべき調査項目番号を表している。
【００６５】
調査用データ表示手段１１は、図１０に示すように、状態＃５０２に於いて回答する調査項目が指定され、“ＯＫ”が選択された後、或いは、状態＃５０１に於いて“ＯＫ”が選択され、且つ、ｘ＝１の場合（今回の入力回答データ有）に、前回の回答データを参照するか否かを指定する前回データ参照画面を受診者端末２０の表示画面上に表示する（状態＃５０９）。ここで、図１１は前回データ参照画面の一例であり、“はい”、“いいえ”のいずれかを選択するように構成されている。“はい”が選択されると、回答入力画面に於いて前回の回答データが表示される（例えば、「既往歴・現病歴」について前回  “高脂血症”が選択入力されている場合、「既往歴・現病歴」についての回答入力画面は“高脂血症”が選択された状態で表示される）。調査用データ表示手段１１は、前回データを参照するか否か（“はい”若しくは“いいえ”）が選択された後、“ＯＫ”が選択され、ｘ＝０の場合には状態＃５０３に遷移して回答入力画面１を表示し、ｘ＝１の場合には状態＃５０５に遷移して設問指定画面を表示する。“もどる”が選択され、ｘ＝０の場合には状態＃５０２に遷移して設問選択画面を表示し、ｘ＝１の場合には状態＃５０１に遷移して確認画面を表示する。
【００６６】
続いて、本発明システム１０の回答入力画面の遷移方法（図５および図１０の状態＃５０３、＃５０４、＃５０６、図７の状態＃７０４、＃７０５、＃７０７に対応）の詳細について、図１２を基に説明する。図１２は、回答必須項目及び選択項目から成る調査項目の表示順序を表したフロー図であり、受診者認証工程（工程＃１２００）と、第１回答入力画面表示工程（工程＃１２０３）と、第２回答入力画面表示工程（工程＃１２０７）から成る。
【００６７】
受診者認証工程（工程＃１２００）に於いて、調査用データ表示手段１１は、受診者端末２０の表示画面上に認証画面を表示して受診者よりＩＤ及びパスワードを取得し、受診者の特定を行う（工程＃１２０１）。続いて、調査用データ表示手段１１は、受診者端末２０の表示画面上に設問選択画面を表示する（工程＃１２０２）。（図５および図１０の状態＃５００〜＃５０２、図７の状態＃７００〜＃７０３に対応）
【００６８】
第１回答入力画面表示工程（工程＃１２０３）に於いて、調査用データ表示手段１１は、回答必須項目についての回答入力画面の表示を行う（＃１２０３）。回答必須項目としては、「既往歴・現病歴（病名）」、「既往歴・現病歴（罹患時期）」、「手術歴」、「自覚症状」、「こころ」、「たばこ」等があり、回答データを入力し“ＯＫ”を選択操作すると、順次、回答入力画面が表示される（工程＃１２０４、＃１２０５）。尚、本実施例では、「たばこ」についての回答入力画面は、第２回答入力画面表示工程（工程＃１２０７）の実施後に表示される構成になっている。
【００６９】
工程＃１２０２に於いて、回答を実施する調査項目について全調査項目を指定した場合には、第２回答入力画面表示工程（工程＃１２０７）が実施される。
第２回答入力画面表示工程（工程＃１２０７）に於いて、調査用データ表示手段１１は、選択項目についての入力画面の表示を行う（工程＃１２０７）。選択項目としては、「生活習慣」、「食事」、「アルコール」等があり、第１回答入力画面表示工程（工程＃１２０３）と同様に、順次表示される（工程＃１２０８〜＃１２１１）。尚、受診者が女性である場合には、「生活習慣」の回答入力画面表示前に「婦人科」についての回答入力画面を表示する（工程＃１２０９）。
【００７０】
尚、本実施例では、回答必須項目についての回答入力画面の表示後に選択項目についての回答入力画面を表示する構成について示したが、これに限るものではなく、任意の順序で表示されるよう構成されていてもよい。いずれの方法であっても本発明の目的を達成することができる。
【００７１】
次に、本発明システム１０の第二実施構成について図１を基に説明する。
本実施構成の本発明システム１０は、図１に示すように、調査用データ表示手段１１、記憶手段１２、調査結果表示手段１３を備えて構成される。
【００７２】
本実施構成の調査用データ表示手段１１は、健康指導に係る複数の調査項目夫々に対する関心度と、調査項目夫々について設定された１または複数の設問に対する回答データとを入力可能な入力画面を、健康診断の受診者の使用する受診者端末２０の表示部に表示させる。ここで、所定の調査項目に対する設問及び関心度の入力画面は、必ずしも同一の入力画面上に構成される必要はなく、また、設問に対する回答データによっては、関心度の入力が必要ではない場合（たばこに関する設問に対し、喫煙経験のない場合等）も考えられ、このような場合には、関心度についての入力画面は表示されない構成であってもよい。
【００７３】
図１３は、たばこに対する設問の一入力画面例であり、「現在吸っている」、「過去に吸っていた」、「吸ったことがない」のいずれかを選択するように構成されている。図１４は、たばこの吸い方の改善についての関心度の位置入力画面例であり、図１３に於いて「現在吸っている」、「過去に吸っていた」を選択した場合に表示される構成になっている。関心度は夫々「関心がない」、「関心はあるが、今はしようと思わない、あるいはできない」、「関心があり、何かしたいと思う」、「関心があり、すでに実行している」の４段階から選択するように構成されている。本実施例では、予め定められた４段階から選択して入力する構成になっているが、これに限るものではない。任意の適切な段階を調査項目毎に設定することが望ましいと言える。また、受診者が選択項目を追加可能な構成であってもよい。
【００７４】
本実施構成の記憶手段１２は、受診者端末２０より回答データと関心度とを受信し、回答データ、関心度、対応する調査項目、対応する受診者を関連付けして記憶する。ここで、記憶手段１２は、問診履歴ＤＢ５６に、受診者毎、調査項目毎に回答データ及び関心度を記憶する。尚、記憶手段１２で用いられる記憶装置は、本発明システム１０を構成するコンピュータの記憶装置や、受診者端末２０とデータ通信可能な任意の場所に設けられている記憶装置であってもよいし、複数の記憶装置に分散してデータを記憶する構成であってもよい。
【００７５】
本実施構成の調査結果表示手段１３は、所定の前記受診者について、記憶手段１２に回答データと関心度とが記憶されている場合に、当該回答データと当該関心度とを、健康指導を実施する検診担当者の使用する検診担当者端末３０の表示部に所定の形式で表示させる。具体的には、調査結果表示手段１３は、検診担当者端末３０からのアクセスに基づき、受診者毎、調査項目の項目名毎に、調査項目毎の関心度と、設問の内容及び夫々に対応する回答データとを、検診担当者端末３０の表示部に表示する。尚、本実施例では、更に、年齢や性別等の受診者の属性情報についても検診担当者端末３０の表示画面上に表示する。
【００７６】
次に、本発明システム１０の第三実施構成について図１５を基に説明する。
本実施構成の本発明システム１０は、図１５に示すように、第二実施構成の調査用データ表示手段１１、記憶手段１２、調査結果表示手段１３に加え、指導方法抽出手段  １４を備えて構成される。
【００７７】
本実施構成の本発明システム１０で用いられるＤＢサーバ５０には、第二実施構成で用いられる各種ＤＢに加え、健康指導方法ＤＢ５８が備えられており、本実施構成の本発明システム１０とデータ通信可能に構成されている。健康指導方法ＤＢ５８には、調査項目毎、関心度毎に、関心度夫々に対応する健康指導方法が記憶され、調査項目及び関心度から健康指導方法を抽出可能に構成されている。
【００７８】
指導方法抽出手段１４は、調査項目夫々に対する関心度に基づいて、受診者に対する健康指導方法を抽出する。更に、本実施構成では、調査用データ表示手段１１は、関心度を予め設定されている複数の入力候補の中から選択して入力可能な入力画面を受診者端末２０に表示可能に構成されている。ここで、健康指導方法を健康指導方法ＤＢ５８より検索可能に構成するため、入力画面データの関心度の複数の入力候補は、健康指導方法ＤＢ５８に記憶されている関心度と関連付けされている。
【００７９】
本実施構成の調査結果表示手段１３は、回答データと関心度と共に健康指導方法を検診担当者端末３０の表示部に所定の形式で表示する。具体的には、調査結果表示手段１３は、検診担当者端末３０からのアクセスに基づき、第二実施構成の表示内容に加えて、受診者毎、調査項目の項目名毎に、健康指導方法を検診担当者端末３０の表示部に表示する。
【００８０】
次に、本実施構成に於ける健康指導方法の一例として、たばこ（禁煙）について説明する。禁煙についての行動改革療法の一つとして、喫煙者が禁煙のために必要な知識や技術を習得しながら禁煙に取り組むための禁煙ガイドを用いる方法があり、本実施例では、検診担当者は、禁煙ガイドを用いて喫煙者に対する禁煙指導を行う。ここで、本実施例に於ける禁煙ガイドは、喫煙者の喫煙状況（喫煙段階）にあわせて６種類用意されている。表１は、禁煙ガイドの種類と使用目的、対象となる喫煙者の禁煙段階を示している。禁煙ガイドは、禁煙についての知識の取得や関心を高めるためのガイド１〜３と、実際に禁煙を実施するステップ１〜３とから構成されている。
【００８１】
【表１】
2004290525.tif 000003
【００８２】
表２は、行動改革療法に於ける禁煙の各段階と、その指導方法とを示している。尚、本実施例の禁煙に対する関心度は、「関心がない」、「関心はあるが、今はしようと思わない、あるいはできない」、「関心があり、何かしたいと思う」、「関心があり、すでに実行している」の４段階より選択する構成になっているが、「関心がない」は無関心期に、「関心はあるが、今はしようと思わない、あるいはできない」は関心期に、「関心があり、何かしたいと思う」は準備期に、「関心があり、すでに実行している」は実行期及び実行期〜継続期に夫々対応している。
【００８３】
【表２】
2004290525.tif 000004
【００８４】
本実施例に於ける健康指導方法ＤＢ５８には、表１及び表２に示すデータと、禁煙段階及び関心度の対応関係を示すデータとが登録されており、指導方法抽出手段１４は、受診者の関心度より、対応する禁煙段階を検索し、対応する禁煙段階より指導方法を抽出する。調査結果表示手段１３は、指導方法抽出手段１４によって抽出された禁煙指導方法を、受診者の属性、たばこについての設問の回答データ、関心度と共に検診担当者端末３０の表示部に表示する。このような構成にすることにより、検診担当者は、受診者の関心度にあった禁煙指導方法を簡易に取得することが可能になる。
【００８５】
尚、本実施形態では、健康診断支援システムは、コンピュータセンタに専用に設けられたコンピュータシステムにより実現される構成になっているが、これに限るものではない。また、本発明システム１０の各手段は、同一のコンピュータシステム上に構成される必要はなく、複数のコンピュータシステム上に設けられていて良いし、任意の手段について、データ通信可能な任意の場所に設けられていて良い。更に、本実施形態では、受診者端末２０から問診履歴ＤＢ５６への回答データの送信及び記憶は、入力画面の遷移に伴って実施されるが、受診者端末２０に一時的に記憶しておき、一括して送信及び記憶する構成であってもよい。受診者端末２０及び検診担当者端末３０について、本実施形態ではパーソナルコンピュータを例に説明したが、これに限るものではなく、タッチパネルや専用の装置を設置しても良い。いずれの構成であっても、本発明に係る目的を達成することができる。
【図面の簡単な説明】
【図１】本発明にかかる健康診断支援システムの一実施形態を表すブロック図
【図２】本発明にかかる健康診断支援システムに於ける一入力画面例を示す図
【図３】本発明にかかる健康診断支援システムに於ける一入力画面例を示す図
【図４】本発明にかかる健康診断支援システムに於ける一入力画面例を示す図
【図５】本発明にかかる健康診断支援システムに於ける入力画面の遷移方法を示す状態遷移図
【図６】本発明にかかる健康診断支援システムに於ける一入力画面例を示す図
【図７】本発明にかかる健康診断支援システムに於ける入力画面の遷移方法を示す状態遷移図
【図８】本発明にかかる健康診断支援システムに於ける一入力画面例を示す図
【図９】本発明にかかる健康診断支援システムに於ける一入力画面例を示す図
【図１０】本発明にかかる健康診断支援システムに於ける入力画面の遷移方法を示す状態遷移図
【図１１】本発明にかかる健康診断支援システムに於ける一入力画面例を示す図
【図１２】本発明にかかる健康診断支援システムに於ける表示画面の表示例を示すフロー図
【図１３】本発明にかかる健康診断支援システムに於ける一入力画面例を示す図
【図１４】本発明にかかる健康診断支援システムに於ける一入力画面例を示す図
【図１５】本発明にかかる健康診断支援システムの一実施形態を表すブロック図
【符号の説明】
１０：健康診断支援システム
１１：調査用データ表示手段
１２：記憶手段
１３：調査結果表示手段
１４：指導方法抽出手段
２０：受診者端末
３０：検診担当者端末
４０、４１：通信ネットワーク
５０：ＤＢサーバ
５１：受診者情報ＤＢ
５２：受診予定者ＤＢ
５３：検診日程ＤＢ
５４：受診者数管理ＤＢ
５５：問診ＤＢ
５６：問診履歴ＤＢ
５７：セキュリティＤＢ
５８：健康指導方法ＤＢ
【図１】
2004290525.tif 000005
【図２】
2004290525.tif 000006
【図３】
2004290525.tif 000007
【図４】
2004290525.tif 000008
【図５】
2004290525.tif 000009
【図６】
2004290525.tif 000010
【図７】
2004290525.tif 000011
【図８】
2004290525.tif 000012
【図９】
2004290525.tif 000013
【図１０】
2004290525.tif 000014
【図１１】
2004290525.tif 000015
【図１２】
2004290525.tif 000016
【図１３】
2004290525.tif 000017
【図１４】
2004290525.tif 000018
【図１５】
2004290525.tif 000019